【手続補正書】
【提出日】平成18年1月27日(2006.1.27)
【手続補正１】
【補正対象書類名】明細書
【補正対象項目名】発明の名称
【補正方法】変更
【補正の内容】
【発明の名称】ネットワークプリンタシステム及びバックアッププログラム並びにバックアップ方法、ネットワークプリンタ
【手続補正２】
【補正対象書類名】明細書
【補正対象項目名】特許請求の範囲
【補正方法】変更
【補正の内容】
【特許請求の範囲】
【請求項１】複数のプリンタをネットワークで接続したネットワークプリンタシステムであって、
前記複数のプリンタのうち、少なくとも２以上のプリンタにそれぞれ、
自己のバックアップデータを前記ネットワークに接続された他のプリンタに送信するバックアップデータ送信手段と、
前記ネットワークに接続された他のプリンタから送信されてきたバックアップデータを受信するバックアップデータ受信手段と、
前記受信した他のプリンタのバックアップデータを記憶する記憶装置とを備えたことを特徴とするネットワークプリンタシステム。
【請求項２】  請求項１に記載のネットワークプリンタシステムにおいて、
前記複数のプリンタは、前記ネットワークに接続された全てのプリンタであることを特徴とするネットワークプリンタシステム。
【請求項３】  請求項１または２に記載のネットワークプリンタシステムにおいて、
自己の保存しているデータが正常か異常かを確認するデータ正確性判断手段と、
自己の保存しているデータが異常であると判断したときに、他のプリンタに保存されている自己のバックアップデータを基にその保存データを復元するデータ復元手段とをさらに備えたことを特徴とするネットワークプリンタシステム。
【請求項４】  請求項１〜３のいずれか１項に記載のネットワークプリンタシステムにおいて、
前記バックアップデータ送信手段は、任意に設定された他のいずれか１のプリンタ、あるいは２以上のプリンタに対して自己のバックアップデータを送信するようにしたことを特徴とするネットワークプリンタシステム。
【請求項５】  請求項１〜４のいずれか１項に記載のネットワークプリンタシステムにおいて、
前記バックアップデータは、そのプリンタから外部に送信する記録データと、そのプリンタ内部のアプリケーションで利用するデータと、そのプリンタの動作に関するプリンタ設定データとを有することを特徴とするネットワークプリンタシステム。
【請求項６】  他のプリンタとネットワークで接続したネットワークプリンタであって、
自己のバックアップデータを前記ネットワークに接続された他のプリンタに送信するバックアップデータ送信手段と、
前記ネットワークに接続された他のプリンタから送信されてきたバックアップデータを受信するバックアップデータ受信手段と、
前記受信した他のプリンタのバックアップデータを記憶する記憶装置とを備えたことを特徴とするネットワークプリンタ。
【請求項７】  請求項６に記載のネットワークプリンタにおいて、
自己の保存しているデータが正常か異常かを確認するデータ正確性判断手段と、
自己の保存しているデータが異常であると判断したときに、他のプリンタに保存されている自己のバックアップデータを基にその保存データを復元するデータ復元手段とをさらに備えたことを特徴とするネットワークプリンタ。
【請求項８】  請求項６または７に記載のネットワークプリンタにおいて、
前記バックアップデータ送信手段は、任意に設定された他のいずれか１のプリンタ、あるいは２以上のプリンタに対して自己のバックアップデータを送信するようにしたことを特徴とするネットワークプリンタ。
【請求項９】  請求項６〜８のいずれか１項に記載のネットワークプリンタにおいて、
前記バックアップデータは、そのプリンタから外部に送信する記録データと、そのプリンタ内部のアプリケーションで利用するデータと、そのプリンタの動作に関するプリンタ設定データとを有することを特徴とするネットワークプリンタ。
【請求項１０】  同一ネットワークに接続された各プリンタのコンピュータを、
自己のプリンタのバックアップデータを前記同一ネットワークに接続された他のプリンタに送信するバックアップデータ送信手段と、
前記ネットワークに接続された他のプリンタから送信されてきたバックアップデータを受信するバックアップデータ受信手段と、
受信されたバックアップデータを記憶する記憶手段として機能させることを特徴とするプリンタデータバックアッププログラム。
【請求項１１】  同一ネットワークに接続された各プリンタのコンピュータに、
自己のプリンタのバックアップデータを前記同一ネットワークに接続された他のプリンタに送信するバックアップデータ送信手段と、
前記ネットワークに接続された他のプリンタから送信されてきたバックアップデータを受信するバックアップデータ受信手段と、
前記受信されたバックアップデータを記憶する記憶手段と、
自己の保存しているデータが正常か異常かを確認するデータ正確性判断手段と、
自己の保存しているデータが異常であると判断したときに、他のプリンタに保存されている自己のバックアップデータを基にその保存データを復元するデータ復元手段として機能させることを特徴とするプリンタデータバックアッププログラム。
【請求項１２】  複数のプリンタをネットワークで接続し、各プリンタのバックアップデータを定期的にあるいは随時前記ネットワークを介してそれぞれペアとなる他のいずれか１のプリンタに保存するようにしたことを特徴とするプリンタデータバックアップ方法。
【請求項１３】  複数のプリンタをネットワークで接続し、各プリンタのバックアップデータを定期的にあるいは随時前記ネットワークを介して他の複数台のプリンタに保存するようにしたことを特徴とするプリンタデータバックアップ方法。
【請求項１４】  複数のプリンタをネットワークで接続し、各プリンタのデータを定期的にあるいは随時前記ネットワークを介して他のプリンタに保存し、他方、前記各プリンタに保存されているデータが正常か異常かを定期的にあるいは随時確認し、その保存データが異常であると判断したときに、他のプリンタに保存されているそのプリンタのバックアップデータを基にその保存データを復元するようにしたことを特徴とするプリンタデータバックアップ方法。
【手続補正３】
【補正対象書類名】明細書
【補正対象項目名】０００１
【補正方法】変更
【補正の内容】
【０００１】
【発明の属する技術分野】
本発明は、複数のプリンタをネットワークで接続したネットワークプリンタシステムに係り、特に、各プリンタで刻々と発生するそのプリンタ固有のデータを効率的にバックアップすることができる新規なネットワークプリンタシステム及びバックアッププログラム並びにバックアップ方法、ネットワークプリンタに関するものである。
【手続補正４】
【補正対象書類名】明細書
【補正対象項目名】０００６
【補正方法】変更
【補正の内容】
【０００６】
そこで、本発明はこのような課題を有効に解決するために案出されたものであり、その目的は、ネットワーク上に接続された各プリンタで発生するデータを効率的にバックアップ及び復元することができる新規なネットワークプリンタシステム及びバックアッププログラム並びにバックアップ方法、ネットワークプリンタを提供するものである。
【手続補正５】
【補正対象書類名】明細書
【補正対象項目名】０００７
【補正方法】変更
【補正の内容】
【０００７】
【課題を解決するための手段】
前記課題を解決するために形態１のネットワークプリンタシステムは、複数のプリンタをネットワークで接続したネットワークプリンタシステムであって、前記複数のプリンタのうち、少なくとも２以上のプリンタにそれぞれ、自己のバックアップデータを前記ネットワークに接続された他のプリンタに送信するバックアップデータ送信手段と、前記ネットワークに接続された他のプリンタから送信されてきたバックアップデータを受信するバックアップデータ受信手段と、前記受信した他のプリンタのバックアップデータを記憶する記憶装置とを備えたことを特徴とするものである。
また、形態２のネットワークシステムは、形態１に記載のネットワークプリンタシステムにおいて、前記複数のプリンタは、前記ネットワークに接続された全てのプリンタであることを特徴とするものである。
【手続補正６】
【補正対象書類名】明細書
【補正対象項目名】０００９
【補正方法】変更
【補正の内容】
【０００９】
また、形態３のネットワークプリンタシステムは、形態１または２に記載のネットワークプリンタシステムにおいて、自己の保存しているデータが正常か異常かを確認するデータ正確性判断手段と、自己の保存しているデータが異常であると判断したときに、他のプリンタに保存されている自己のバックアップデータを基にその保存データを復元するデータ復元手段とをさらに備えたことを特徴とするものである。
【手続補正７】
【補正対象書類名】明細書
【補正対象項目名】００１０
【補正方法】変更
【補正の内容】
【００１０】
これにより、保存した自己のデータの一部あるいは全部が消失又は壊れた場合
であっても、そのデータを正確に復元することが可能となる。
また、形態４のネットワークプリンタシステムは、形態１〜３のいずれかに記載のネットワークプリンタシステムにおいて、前記バックアップデータ送信手段は、任意に設定された他のいずれか１のプリンタ、あるいは２以上のプリンタに対して自己のバックアップデータを送信するようにしたことを特徴とするものである。
【手続補正８】
【補正対象書類名】明細書
【補正対象項目名】００１１
【補正方法】変更
【補正の内容】
【００１１】
これによって、バックアップデータをバックアップ先のプリンタに対して確実に送信して保存することができる。
また、形態５のネットワークプリンタシステムは、形態１〜４のいずれかに記載のネットワークプリンタシステムにおいて、前記バックアップデータは、そのプリンタから外部に送信する記録データと、そのプリンタ内部のアプリケーションで利用するデータと、そのプリンタの動作に関するプリンタ設定データとを有することを特徴とするものである。
【手続補正９】
【補正対象書類名】明細書
【補正対象項目名】００１２
【補正方法】変更
【補正の内容】
【００１２】
これによって、壊れたデータの復元に必要な最小限のデータをバックアップすることができる。
また、形態６のネットワークプリンタは、他のプリンタとネットワークで接続したネットワークプリンタであって、自己のバックアップデータを前記ネットワークに接続された他のプリンタに送信するバックアップデータ送信手段と、前記ネットワークに接続された他のプリンタから送信されてきたバックアップデータを受信するバックアップデータ受信手段と、前記受信した他のプリンタのバックアップデータを記憶する記憶装置とを備えたことを特徴とするものである。
また、形態７のネットワークプリンタは、形態６に記載のネットワークプリンタにおいて、自己の保存しているデータが正常か異常かを確認するデータ正確性判断手段と、自己の保存しているデータが異常であると判断したときに、他のプリンタに保存されている自己のバックアップデータを基にその保存データを復元するデータ復元手段とをさらに備えたことを特徴とするものである。
また、形態８のネットワークプリンタは、形態６または７に記載のネットワークプリンタにおいて、前記バックアップデータ送信手段は、任意に設定された他のいずれか１のプリンタ、あるいは２以上のプリンタに対して自己のバックアップデータを送信するようにしたことを特徴とするものである。
また、形態９のネットワークプリンタは、形態６〜８のいずれかに記載のネットワークプリンタにおいて、前記バックアップデータは、そのプリンタから外部に送信する記録データと、そのプリンタ内部のアプリケーションで利用するデータと、そのプリンタの動作に関するプリンタ設定データとを有することを特徴とするものである。
また、形態１０のプリンタデータバックアッププログラムは、同一ネットワークに接続された各プリンタのコンピュータを、自己のプリンタのバックアップデータを前記同一ネットワークに接続された他のプリンタに送信するバックアップデータ送信手段と、前記ネットワークに接続された他のプリンタから送信されてきたバックアップデータを受信するバックアップデータ受信手段と、受信されたバックアップデータを記憶する記憶手段として機能させることを特徴とするものである。
【手続補正１０】
【補正対象書類名】明細書
【補正対象項目名】００１３
【補正方法】変更
【補正の内容】
【００１３】
これによって形態１のシステムと同様な効果が得られる上に、各プリンタに本来的に備わっているコンピュータシステムをそのまま利用することができるため、前記各手段をハードウェアによって新たに実現する場合に比べて優れた経済性を発揮することができる。
また、形態１１のプリンタデータバックアッププログラムは、同一ネットワークに接続された各プリンタのコンピュータに、自己のプリンタのバックアップデータを前記同一ネットワークに接続された他のプリンタに送信するバックアップデータ送信手段と、前記ネットワークに接続された他のプリンタから送信されてきたバックアップデータを受信するバックアップデータ受信手段と、前記受信されたバックアップデータを記憶する記憶手段と、自己の保存しているデータが正常か異常かを確認するデータ正確性判断手段と、自己の保存しているデータが異常であると判断したときに、他のプリンタに保存されている自己のバックアップデータを基にその保存データを復元するデータ復元手段として機能させることを特徴とするものである。
【手続補正１１】
【補正対象書類名】明細書
【補正対象項目名】００１４
【補正方法】変更
【補正の内容】
【００１４】
これによって、形態１０の効果に加え、形態３と同様に保存した自己のデータの一部あるいは全部が消失又は壊れた場合であっても、そのデータを正確に復元することが可能となる。
また、形態１２のプリンタデータバックアップ方法は、複数のプリンタをネットワークで接続し、各プリンタのバックアップデータを定期的にあるいは随時前記ネットワークを介してそれぞれペアとなる他のいずれか１のプリンタに保存するようにしたことを特徴とするものである。
【手続補正１２】
【補正対象書類名】明細書
【補正対象項目名】００１５
【補正方法】変更
【補正の内容】
【００１５】
これによって、形態１と同様に、プリンタのデータバックアップ機能に異常が発生した場合でも、そのバックアップデータが全て消失するといった最悪のケースを未然に回避することができ、より確実性の高いシステムを構築できる。
また、形態１３のプリンタデータバックアップ方法は、複数のプリンタをネットワークで接続し、各プリンタのバックアップデータを定期的にあるいは随時前記ネットワークを介して他の複数台のプリンタに保存するようにしたことを特徴とするものである。
【手続補正１３】
【補正対象書類名】明細書
【補正対象項目名】００１６
【補正方法】変更
【補正の内容】
【００１６】
これによって、形態１２と同様な効果を得られる上に、複数台のプリンタにバックアップするため、より確実にバックアップデータを保存することができる。
また、形態１４のプリンタデータバックアップ方法は、複数のプリンタをネットワークで接続し、各プリンタのデータを定期的にあるいは随時前記ネットワークを介して他のプリンタに保存し、他方、前記各プリンタに保存されているデータが正常か異常かを定期的にあるいは随時確認し、その保存データが異常であると判断したときに、他のプリンタに保存されているそのプリンタのバックアップデータを基にその保存データを復元するようにしたことを特徴とするものである。
【手続補正１４】
【補正対象書類名】明細書
【補正対象項目名】００１７
【補正方法】変更
【補正の内容】
【００１７】
これにより、形態１２，１３の効果に加え、形態３等と同様に保存した自己のデータの一部あるいは全部が消失又は壊れた場合であっても、そのデータを正確に復元することが可能となる。